(57)【要約】【課題】  背中の手の届かない部分を軟膏、クリーム、ジェル、ローション等を他の人の手を借りることなく塗布できる着脱式補助具を提供する。【解決手段】  軟膏やクリームをつける受け台とその物と接続したコットンを挟んで４辺で押さえる額縁状の押さえからなる補助具を手形にスライド式で合体させて使用する着脱式補助具である。また、交換用着脱式補助具としてブラシを植え込んだ補助具も合体させて浴用で使用するものである。【選択図】  図６
2006075563.tif 000002
【特許請求の範囲】
【請求項１】
板状の取り付けベースと、取り付けベースに設けられた把手と、取り付けベースに設けられたスライド溝とよりなる操作具本体と、
台座と、台座に設けられた前記スライド溝に着脱可能な突起部と、台座上面に塗布に必要な面積で隆起する状態で設けられた薬受け台と、薬受け台に配置した任意のシートやコットンを固定する固定機構とよりなる着脱式補助具とより構成され、
前記把手は取り付けベースに取り付けられた着脱式補助具を背中にあてやすいように湾曲したものであることを特徴とする背中用塗布具。
【請求項２】
台座と、台座に設けられ前記スライド溝に着脱可能な突起部と、台座上面に設けられたブラシ毛とよりなる交換用着脱式補助具を具備することを特徴とする背中用塗布具。
【請求項３】
取り付けベースが親指を開いた手のひら形状となっていることを特徴とする請求項１又は２記載の背中用塗布具。
【発明の詳細な説明】
【技術分野】
【０００１】  本発明は自身で簡単に手の届かない背中にかゆみ止めの薬やクリーム、間接痛のジェルなどをつけるのに利用する人の手の代わりをする用具である。
【背景技術】
【０００２】  従来背中の手の届かないところは他の人の手を借りなければならなかった。又軟膏やクリームは付けることは出来るが、液体の薬やローションはつけることが出来ない発明はあった。
【特許文献１】特開平１１−１７８９３３
【特許文献２】特開２００１−３２１４４９
【特許文献３】特開２００２−１３６６０２
【特許文献４】実用登録３０９６６５２
【特許文献５】実用登録３０８８７２８
【特許文献６】実用登録３０８３８０７
【特許文献７】実用登録３０３２９０４
【発明が解決しようとする課題】
【０００３】  その為に、次のような問題点があった。特許文献１〜６はクリームや軟膏は塗布することは出来ても液体の薬やローションは流れ落ちてつける事は出来なかった。特許文献７はコットンやシートを左右の爪ではさんでローションや液体の薬をぬることは出来るが、柄がまっすぐで湾曲してない為に背中にフィットしにくく、又コットン材をはさむ爪が２辺であるために上下左右に動かした場合ずれたり、よれたりする。本発明は以上の問題点を解決しようとしたものである。
【課題を解決するための手段】
【０００４】  板状の取り付けベースと、取り付けベースに設けられた把手と、取り付けベースに設けられたスライド溝とよりなる操作具本体と、台座と、台座に設けられ前記スライド溝に着脱可能な突起部と、台座上面に塗布に必要な面積で隆起する状態で設けられた薬受け台と、薬受け台に配置した任意のシートやコットンを固定する固定機構とよりなる着脱式補助具とより構成されている。
前記把手は取り付けベースに取り付けられた着脱式補助具を背中にあてやすいように湾曲したものであることを特徴とする背中用塗布具である。
又前記の薬を塗布する着脱式補助具とは独立した用具として、台座と、台座に設けられ前記スライド溝に着脱可能な突起部と、台座上面に設けられたブラシ毛とよりなる交換用着脱式補助具を具備することを特徴とする背中用塗布具である。
又取り付けベースが親指を開いた手のひら形状となっていることを特徴とする背中用塗布具である。
【発明の効果】
【０００５】  ローションや水溶性の薬剤などはコットン材をはさむ事によって吸収されてしたたり落ちることなく塗ることが出来る。若い女性においては背中の肌を整えたり、脱毛する為のローションをつけたりするのに便利である。
ブラシ毛を利用した交換用着脱式補助具を利用する場合、従来よく使われているナイロンタオルより肌にやさしく背骨のくぼみの汚れもすっきり落とすことが出来る。
ベースが手の平状となったものにおいては手の届かない背中の操作であるため他の人の代わりをしてくれるあたたかみのある形状にする。手形であるので親指が蒸しタオルや乾いたタオルを巻きつけたときズレを防止する。巻きつけたタオルを手首の位置に輪ゴム等でとめれば尚ズレを防止し、拭きたい部位をピンポイントで拭くことができる
【発明を実施するための最良の形態】
【０００６】  本発明は操作具本体と着脱式補助具よりなる。
以下、本発明の実施の形態について、図１から図３を利用して説明する。
（イ）操作具本体は図１に示すように把持棒（１）とその先端に設けられた女性の手のひら形状をした板状の取り付けベース（３）とにより構成されている。
取り付けベースの指には付け爪（２）を接着し、人の手と同様に背中を掻くのに利用する。
（ロ）取り付けベース（３）に軟膏やクリームの受け台（５）をスライドして差し込むために手のひらの手首から５分の２のあたりで小指側から差し込み口として手の厚みの中間に溝凹（４）を設ける。
（ハ）着脱式補助具は図３に示すように前記取り付けベース（３）に収まる大きさで板状の土台（６ａ）と土台の底面に前記溝凹（４）に差し込むための突起部（７）が設けられている。土台平面には薬受け台（５）が土台から隆起した状態で設けられており、この薬受け台の外フレームとなるコットン押さえ枠（８）が開閉可動するよう土台（６ａ）に接続自在具（１１）で取り付けられている。また押さえ枠先端には押さえ留め具凸（９）が設けられており、押さえ枠が閉じた状態でこの押さえ留め具凸（９）と着脱可能となるよう押さえ留め具凹（１０）が土台（６ａ）に設けられている。
本発明は以上の構成よりなる。
これを使用するときは、上記の手形把持棒（１）の手形ベース（３）に土台（６ａ）と一体化した薬受け台（５）をスライドして固定する。クリーム、軟膏を塗布するときはフレームのコットン押さえ（８）は留め具（９）と（１０）で止めておく。
図６、図７に示すように  薬受け台（５）に薬をぬり把持棒を持ってその部分を塗布する箇所にあたるように操作し押し付けてずらすようにして薬を塗りつける。
水溶性のローションなどは薬受け台（５）にコットンを置きコットン押さえフレーム（８）を下ろして（９）と（１０）で止め、水溶性の薬をコットンに適当に浸透させて塗布する箇所にあてて肌に浸透させる。すり込む必要があれば上下左右に動かしてもずれることはない。
タオルを使用する場合を図５を利用して説明する。
タオルを使用するときは図３、図４に示すように着脱式補助具をはずし、手形のベース（３）に巻いて手首の部位で輪ゴム（１４）などで止める。【０００７】以下、他の実施の形態について図４を利用して説明する。
本実施形態は着脱式補助具としてブラシを利用したものである。
ブラシ毛を植え込む為の土台（６ｂ）に浴用で使用するためのブラシ毛（１２）を設ける。土台の下部にスライド式の突起部（７）を設ける。
本発明は以上の構成よりなる。これを使用するときは、スライド式突起部凸（７）を溝凹（４）にスライドして固定し浴用で背骨のくぼみの汚れをきれいに洗い落とすのに使用する。
【図面の簡単な説明】
【０００８】
【図１】本発明の斜視図
【図２】本発明の手のひらの斜視図
【図３】本発明の薬受け台とコットン押さえの斜視図
【図４】本発明のブラシの斜視図
【図５】本発明のタオルを用いた斜視図
【図６】本発明の使用図
【図７】本発明の横向き使用図
【符号の説明】
【０００９】１    把持棒
２    付け爪
３    ベース
４    溝凹
５    薬受け台
６ａ  土台
６ｂ  土台
７    スライド差し込み突起部凸
８    コットン押さえフレーム
９    コットン押さえ留め具凸
１０  コットン押さえ留め具凹
１１  接続自在具
１２  ブラシ
１３  ベースに巻いたタオル
１４  輪ゴム
【図１】
2006075563.tif 000003
【図２】
2006075563.tif 000004
【図３】
2006075563.tif 000005
【図４】
2006075563.tif 000006
【図５】
2006075563.tif 000007
【図６】
2006075563.tif 000008
【図７】
2006075563.tif 000009